(57)【要約】      （修正有）【課題】コード化パターン（ドットパターン）と読取手段（電子ペン）を用いて、コンピュータ装置の画面操作を簡易に行うことができるシステムを提供する。【解決手段】情報処理システムは、ドットパターンが印刷された操作シート５に電子ペンで指示することで操作される。操作シート５には、ディスプレイによって表示されている画面の入力領域に文字などを入力するためのユーザエリア５０１、特定のサイトにコンピュータ装置２がアクセスするためのユーザエリア５０２〜５０４、ディスプレイの表示画面を上下方向にスクロールするためのユーザエリア５２１、左右方向にスクロールするためのユーザエリア５２２、ネット検索結果の次ページにアクセスするためのユーザエリア５２３、前ページにアクセスするためのユーザエリア５２４などが設けられている。【選択図】図４
0003160431.tif 000002
【実用新案登録請求の範囲】
【請求項１】
コード化パターンが形成された操作シートと、
前記コード化パターンを読み取る読取手段と、
前記読取手段から送信されたコード化パターンに関する情報を受信して、当該情報に応じた処理を行うコンピュータ装置と、
前記コンピュータ装置に接続されたディスプレイとを備える情報処理システムであって、
前記操作シートには、上下方向に複数のエリアに分割された上下方向スクロール・エリアが設けられ、
前記コンピュータ装置は、前記読取手段から受信した情報に基づき、前記読取手段により、前記上下方向スクロール・エリアの隣接する複数の前記エリアをまたがるようにストロークが描かれたと認識すると、そのストロークが描かれた方向に沿って、上方向または下方向に、前記ディスプレイの表示画面のスクロール処理を行うことを特徴とする情報処理システム。
【請求項２】
前記操作シートの前記上下方向スクロール・エリアにおいては、分割された前記エリアごとに異なる色が印刷されていることを特徴とする請求項１に記載の情報処理システム。
【請求項３】
前記コンピュータ装置は、前記読取手段から受信した情報に基づき、前記読取手段により、複数の前記エリアのうち、隣接しない二つのエリアが連続して指示されたと認識すると、その指示順に応じて、前記ディスプレイの表示画面のページダウンまたはページアップによるスクロール処理を行う
ことを特徴とする請求項１又は２に記載の情報処理システム。
【請求項４】
前記操作シートには、左右方向に複数のエリアに分割された左右方向スクロール・エリアがさらに設けられ、
前記コンピュータ装置は、前記読取手段から受信した情報に基づき、前記読取手段により、前記左右方向スクロール・エリアの隣接する複数の前記エリアをまたがるようにストロークが描かれたと認識すると、そのストロークが描かれた方向に沿って、右方向または左方向に、前記ディスプレイの表示画面のスクロール処理を行う
ことを特徴とする請求項１〜３のうちいずれか一項に記載の情報処理システム。
【請求項５】
前記操作シートの前記左右方向スクロール・エリアにおいては、分割された前記エリアごとに異なる色が印刷されていることを特徴とする請求項４に記載の情報処理システム。
【請求項６】
前記操作シートは、特定のサイトにアクセスするためのサイト指示エリアと、文字を入力するための文字入力エリアと、検索結果の次のページにアクセスするための次ページ・アクセス・エリアと、検索結果の前のページにアクセスするための前ページ・アクセス・エリアとをさらに備え、
前記コンピュータ装置は、前記読取手段から受信した情報に基づき、
前記読取手段により前記サイト指示エリアが指示されたと認識すると、ネットワーク上の前記特定のサイトを運用するサーバにアクセスして、前記ディスプレイに前記特定のサイトの画面を表示させ、
前記読取手段により前記文字入力エリアにストロークが記入されたと認識すると、そのストロークを文字認識してテキスト情報に変換し、前記ディスプレイに表示された画面の入力領域に前記テキスト情報を入力し、
前記読取手段により前記次ページ・アクセス・エリアが指示されたと認識すると、前記特定のサイトのサーバにアクセスして、前記ディスプレイに検索結果の次のページを表示させ、
前記読取手段により前記前ページ・アクセス・エリアが指示されたと認識すると、前記特定のサイトのサーバにアクセスして、前記ディスプレイに検索結果の前のページを表示させる
ことを特徴とする請求項１〜５のうちいずれか一項に記載の情報処理システム。
【請求項７】
前記操作シートは、特定のサイトにアクセスするためのサイト指示エリアと、文字を入力するための文字入力エリアと、検索結果の次のページにアクセスするための次ページ・アクセス・エリアと、検索結果の前のページにアクセスするための前ページ・アクセス・エリアとをさらに備え、
前記コンピュータ装置は、前記読取手段から受信した情報に基づき、
前記読取手段により前記文字入力エリアに記入されたと認識すると、そのコード化パターンに関する情報を記憶手段に記憶させ、
前記読取手段により前記サイト指示エリアが指示されたと認識すると、前記文字入力エリアへの前記読取手段による記入によって生成された前記情報を前記記憶手段から読み出してストロークを認識し、そのストロークを文字認識によりテキスト情報化したうえで、そのテキスト情報を検索するためのコード情報に変換し、さらに、ディスプレイに表示されたＵＲＬ入力欄に、前記特定のサイトのＵＲＬと当該コード情報とを埋め込み、ネットワークを介して前記特定のサーバにアクセスし、検索結果をディスプレイに表示させ、
前記読取手段により前記次ページ・アクセス・エリアが指示されたと認識すると、前記特定のサイトのサーバにアクセスして、前記ディスプレイに検索結果の次のページを表示させ、
前記読取手段により前記前ページ・アクセス・エリアが指示されたと認識すると、前記特定のサイトのサーバにアクセスして、前記ディスプレイに検索結果の前のページを表示させる
ことを特徴とする請求項１〜５のうちいずれか一項に記載の情報処理システム。
【考案の詳細な説明】
【技術分野】
【０００１】
本考案は、位置座標を示すコード化パターンを用いて情報を入力することができる情報処理システムに関し、特に、コード化パターンが形成された操作シートを用いて、コンピュータ装置を操作する情報処理システムに関する。
【背景技術】
【０００２】
近年、記入した情報を電子化する電子ペンが開発されており、その代表的なものとしてスウェーデンのAnoto 社が開発した「アノトペン（Anoto pen）」が知られている。アノトペンは、所定のアルゴリズムによりパターン化された位置座標を示すドットパターンが印刷された専用紙とともに使用される。アノトペンは、ペン先部に、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１：特表２００３−５１１７６１号公報参照）。
【０００３】
座標値ないしコード値を示すドットパターンを用いてコンピュータに入力などの操作を行うものとして、例えば、特許文献２（特開２０１０−３３０５号公報：図１５等参照）には、紙に、ドットパターンとパソコンのキーボードを模した絵柄とを印刷して、ペーパーキーボードを作成し、スキャナでペーパーキーボード上のキーを読み取ることで情報を入力することが提案されている。また、特許文献３（特表２００３−５２３５７２号公報：図１等参照）には、ドットパターンが印刷されたマウスパッドにスクロールフィールドを設けるものも提案されている。
【０００４】
また、特許文献４（特開２００７−１０９１１８号公報：図１等参照）には、ドットパターンが印刷された用紙に予め文字も印刷されており、所望の文字を電子ペンで囲むようにストロークを書き込むことで、その文字をキーワードとしてネット検索するシステムが提案されている。また、本出願人は、特許文献５（特開２００７−１９３４６７号公報）において、ドットパターンが印刷された用紙に電子ペンで文字を記入することで、その文字をキーワードとしてサーバ内の写真画像データ、クリップアートデータあるいは動画データを検索できるシステムを提案している。
【先行技術文献】
【特許文献】
【０００５】
【特許文献１】特表２００３−５１１７６１号公報
【特許文献２】特開２０１０−３３０５号公報
【特許文献３】特表２００３−５２３５７２号公報
【特許文献４】特開２００７−１０９１１８号公報
【特許文献５】特開２００７−１９３４６７号公報
【考案の概要】
【考案が解決しようとする課題】
【０００６】
ところが、パソコンやテレビ等のコンピュータ装置を扱うユーザの中には、キーボード入力が不得手なユーザもおり、そのようなユーザにとっては、特許文献２のようなペーパーキーボードは使いにくい。また、スクロール指示するには、スクロールフィールドが一つしかない特許文献３の例では、どの方向へのスクロール指示なのか識別が難しい。また、特許文献４，５に示すシステムであると、検索後のコンピュータ装置における表示画面もスクロールがままならない。
【０００７】
そこで、本考案は、コード化パターン（ドットパターン）と読取手段（電子ペン）を用いて、コンピュータ装置の画面操作を簡易に行うことができるシステムを提供することを目的とする。
【課題を解決するための手段】
【０００８】
本考案に係る情報処理システムは、コード化パターンが形成された操作シートと、前記コード化パターンを読み取る読取手段と、前記読取手段から送信されたコード化パターンに関する情報を受信して、当該情報に応じた処理を行うコンピュータ装置と、前記コンピュータ装置に接続されたディスプレイとを備える情報処理システムであって、
前記操作シートには、上下方向に複数のエリアに分割された上下方向スクロール・エリアが設けられ、
前記コンピュータ装置は、前記読取手段から受信した情報に基づき、前記読取手段により、前記上下方向スクロール・エリアの隣接する複数の前記エリアをまたがるようにストロークが描かれたと認識すると、そのストロークが描かれた方向に沿って、上方向または下方向に、前記ディスプレイの表示画面のスクロール処理を行うことを特徴とする。
【０００９】
この情報処理システムによれば、ユーザが、操作シートの上下方向スクロール・エリアに対して、読取手段により、複数のエリアをまたがるようにストロークを描くと、読取手段は、そのストロークに沿って、コード化パターンを読み取っていき、そのコード化パターンに関する情報を送信する。コンピュータ装置は、その情報を受信して、読取手段により複数のエリアをまたがるようにストロークが描かれたと認識すると、そのストロークが描かれた方向に沿って、上方向または下方向に、ディスプレイの表示画面のスクロール処理を行う。これにより、ユーザは、コンピュータ装置の画面操作を簡易に行うことができる。
【００１０】
上記情報処理システムにおいて、前記操作シートの前記上下方向スクロール・エリアにおいては、分割された前記エリアごとに異なる色が印刷されているとよい。これにより、ユーザは、色によって分割された各エリアを認識することができ、読取手段の操作をしやすくなる。
【００１１】
また、上記情報処理システムにおいて、前記コンピュータ装置は、前記読取手段から受信した情報に基づき、前記読取手段により、複数の前記エリアのうち、隣接しない二つのエリアが連続して指示されたと認識すると、その指示順に応じて、前記ディスプレイの表示画面のページダウンまたはページアップによるスクロール処理を行うように構成するとよい。これにより、コンピュータ装置は、ページダウンまたはページアップによるスクロール処理を、同じ上下方向スクロール・エリアをユーザが用いることで、行うことができる。
【００１２】
また、上記情報処理システムにおいて、
前記操作シートには、左右方向に複数のエリアに分割された左右方向スクロール・エリアがさらに設けられ、
前記コンピュータ装置は、前記読取手段から受信した情報に基づき、前記読取手段により、前記左右方向スクロール・エリアの隣接する複数の前記エリアをまたがるようにストロークが描かれたと認識すると、そのストロークが描かれた方向に沿って、右方向または左方向に、前記ディスプレイの表示画面のスクロール処理を行うよう構成するとよい。
【００１３】
この構成により、ユーザが、操作シートの左右方向スクロール・エリアに対して、読取手段により、複数のエリアをまたがるようにストロークを描くと、読取手段は、そのストロークに沿って、コード化パターンを読み取っていき、そのコード化パターンに関する情報を送信する。コンピュータ装置は、その情報を受信して、読取手段により複数のエリアをまたがるようにストロークが描かれたと認識すると、そのストロークが描かれた方向に沿って、右方向または左方向に、ディスプレイの表示画面のスクロール処理を行う。これにより、ユーザは、コンピュータ装置の画面操作を簡易に行うことができる。
【００１４】
また、上記情報処理システムにおいて、前記操作シートの前記左右方向スクロール・エリアにおいては、分割された前記エリアごとに異なる色が印刷されているとよい。これにより、ユーザは、色によって分割された各エリアを認識することができ、読取手段の操作をしやすくなる。
【００１５】
また、上記情報処理システムにおいて、前記操作シートは、特定のサイトにアクセスするためのサイト指示エリアと、文字を入力するための文字入力エリアと、検索結果の次のページにアクセスするための次ページ・アクセス・エリアと、検索結果の前のページにアクセスするための前ページ・アクセス・エリアとをさらに備え、
前記コンピュータ装置は、前記読取手段から受信した情報に基づき、
前記読取手段により前記サイト指示エリアが指示されたと認識すると、ネットワーク上の前記特定のサイトを運用するサーバにアクセスして、前記ディスプレイに前記特定のサイトの画面を表示させ、
前記読取手段により前記文字入力エリアにストロークが記入されたと認識すると、そのストロークを文字認識してテキスト情報に変換し、前記ディスプレイに表示された画面の入力領域に前記テキスト情報を入力し、
前記読取手段により前記次ページ・アクセス・エリアが指示されたと認識すると、前記特定のサイトのサーバにアクセスして、前記ディスプレイに検索結果の次のページを表示させ、
前記読取手段により前記前ページ・アクセス・エリアが指示されたと認識すると、前記特定のサイトのサーバにアクセスして、前記ディスプレイに検索結果の前のページを表示させるように構成するとよい。
【００１６】
この構成によれば、コンピュータ装置をネットワークに接続してネットワーク上のサーバにアクセスできる状態にしておき、ユーザが読取手段でサイト指示エリアを指示すると、コンピュータ装置は、ネットワーク上の特定のサイトを運用するサーバにアクセスして、ディスプレイに特定のサイトの画面を表示させる。さらに、ユーザが読取手段で文字入力エリアに、文字を構成するストロークを記入すると、コンピュータ装置は、そのストロークを文字認識してテキスト情報に変換し、ディスプレイに表示された画面の入力領域にテキスト情報を入力する。また、検索結果が複数ページにわたる場合に、ユーザが読取手段で次ページ・アクセス・エリアを指示すると、コンピュータ装置は、特定のサイトのサーバにアクセスして、ディスプレイに検索結果の次のページを表示させる。また、ユーザが読取手段で前ページ・アクセス・エリアを指示すると、コンピュータ装置は、特定のサイトのサーバにアクセスして、ディスプレイに検索結果の前のページを表示させる。このように、ユーザは、操作シートを用いてコンピュータ装置の画面操作を簡易に行うことができる。
【００１７】
または、上記情報処理システムにおいて、前記操作シートは、特定のサイトにアクセスするためのサイト指示エリアと、文字を入力するための文字入力エリアと、検索結果の次のページにアクセスするための次ページ・アクセス・エリアと、検索結果の前のページにアクセスするための前ページ・アクセス・エリアとをさらに備え、
前記コンピュータ装置は、前記読取手段から受信した情報に基づき、
前記読取手段により前記文字入力エリアに記入されたと認識すると、そのコード化パターンに関する情報を記憶手段に記憶させ、
前記読取手段により前記サイト指示エリアが指示されたと認識すると、前記文字入力エリアへの前記読取手段による記入によって生成された前記情報を前記記憶手段から読み出してストロークを認識し、そのストロークを文字認識によりテキスト情報化したうえで、そのテキスト情報を検索するためのコード情報に変換し、さらに、ディスプレイに表示されたＵＲＬ入力欄に、前記特定のサイトのＵＲＬと当該コード情報とを埋め込み、ネットワークを介して前記特定のサーバにアクセスし、検索結果をディスプレイに表示させ、
前記読取手段により前記次ページ・アクセス・エリアが指示されたと認識すると、前記特定のサイトのサーバにアクセスして、前記ディスプレイに検索結果の次のページを表示させ、
前記読取手段により前記前ページ・アクセス・エリアが指示されたと認識すると、前記特定のサイトのサーバにアクセスして、前記ディスプレイに検索結果の前のページを表示させるよう構成するとよい。
【００１８】
この構成によれば、コンピュータ装置をネットワークに接続してネットワーク上のサーバにアクセスできる状態にしておき、ユーザが読取手段で文字入力エリアに、文字を構成するストロークを記入すると、読取手段により生成されたコード化パターンに関する情報を記憶手段に記憶させる。そして、コンピュータ装置は、読取手段によりサイト指示エリアが指示されたと認識すると、文字入力エリアへの読取手段による記入によって生成された情報を記憶手段から読み出してストロークを認識し、そのストロークを文字認識によりテキスト情報化したうえで、そのテキスト情報を検索するためのコード情報に変換し、さらに、ディスプレイに表示されたＵＲＬ入力欄に、特定のサイトのＵＲＬと当該コード情報と埋め込み、ネットワーク上の前記特定のサーバにアクセスし、検索結果をディスプレイに表示させる。また、検索結果が複数ページにわたる場合に、ユーザが読取手段で次ページ・アクセス・エリアを指示すると、コンピュータ装置は、特定のサイトのサーバにアクセスして、ディスプレイに検索結果の次のページを表示させる。また、ユーザが読取手段で前ページ・アクセス・エリアを指示すると、コンピュータ装置は、特定のサイトのサーバにアクセスして、ディスプレイに検索結果の前のページを表示させる。このように、ユーザは、操作シートを用いてコンピュータ装置の画面操作を簡易に行うことができる。
【考案の効果】
【００１９】
本考案によれば、コード化パターン（ドットパターン）と読取手段（電子ペン）を用いて、コンピュータ装置の画面操作を簡易に行うことができる。
【図面の簡単な説明】
【００２０】
【図１】第１実施形態における情報処理システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】操作シートの外観図である。
【図５】操作シートのユーザエリアを説明するための図である。
【図６】電子ペンの構造を示す概略図である。
【図７】コンピュータ装置の機能ブロック図である。
【図８】操作シートの変形例を示す外観図である。
【考案を実施するための形態】
【００２１】
以下、図面を参照して、本考案の好適な情報処理システムの実施形態について詳細に説明する。
【００２２】
＜第１実施形態＞
［情報処理システムのシステム構成］
図１は、本第１実施形態における情報処理システム１０のシステム構成図である。図１に示すように、本実施形態における情報処理システム１０は、ユーザが使用する電子ペン１（読取手段）と、電子ペン１から記入情報等を受信して処理するコンピュータ装置２と、コンピュータ装置２から画像情報や音声情報を受信し、音声や画像を出力するスピーカ付きディスプレイ３と、電子ペン１で記入したりタップしたりしてコンピュータ装置２を操作するための操作シート５とを備える。また、コンピュータ装置２は、インターネットなどのネットワークＮを通じてサーバ７と接続されており、コンピュータ装置２にはプリンター８も接続されている。
【００２３】
ここで、コンピュータ装置２は、ネットワークＮを通じてサーバ７と通信することができ、さらに、地上デジタル放送の放送信号を受信して、テレビ番組等をスピーカ付きディスプレイ３に出力ないし表示させることができる。また、操作シート５には、位置座標を示すアノト社方式のドットパターン（コード化パターン）が印刷されており、電子ペン１は、操作シート５で指示された位置におけるドットパターンを読取って位置座標を演算して求めるとともに、演算して得られた位置座標を含む記入情報をコンピュータ装置２に送信する。
【００２４】
［ドットパターン］
操作シート５に印刷されるアノト社方式のドットパターン（コード化パターン）について説明する。図２は、操作シート５に印刷されるドットパターンのドットとそのドットが変換される値との関係を説明する図である。図２に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、操作シート５上の位置座標が決定されるよう構成されている。このドットパターンは、赤外線を吸収するカーボンを含有するインクによって印刷されている。
【００２５】
図３（ａ）は、ある位置のドットパターンの配列を示している。図３（ａ）に示すように、縦横約２ｍｍの範囲内に６×６個のドットが、操作シート５上のどの部分から６×６ドットを取ってもユニークなパターンとなるように配置されている。これら３６個のドットにより形成されるドットパターンは、操作シート５における相対的な位置座標及びドットパターンアドレス（コード化パターンアドレス）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００２６】
［操作シート］
図４及び図５を参照して、操作シート５について説明する。図４は、操作シート５の概要図であり、図５は、操作シート５において定義されるユーザエリアを説明するための図である。ここで、図４において操作シート５上の機能エリアを指す符号と、図５で示すユーザエリアの番号は一致させている。図５で示す各ユーザエリア５０１〜５１９、５２１Ａ〜５２１Ｄ、５２２Ａ〜５２２Ｂ、５２３、５２４の操作シート５における位置座標の座標範囲は、各ユーザエリアに関連付けられて、コンピュータ装置２の記憶手段に記憶され、電子ペン１により送信された記入情報に含まれる座標情報により、電子ペン１によって指示されたユーザエリアが、コンピュータ装置２によって特定されるようになっている。
【００２７】
操作シート５の全面には、電子ペン１で読み取れるように赤外線を吸収するインク（カーボン含有インク等）によって、操作シート５上の位置座標を示すドットパターンが印刷されている。さらに、操作シート５には、電子ペン１で読み取れないインク（赤外線を吸収しないインク）によって、図４で示す機能エリアの絵柄が印刷されている。
【００２８】
ユーザエリア（文字入力エリア）５０１には、「検索する文字を入力して下さい。」と薄く印刷されている。このユーザエリア５０１は、ディスプレイ３によって表示されている画面の入力領域に、文字や記号などを入力するための領域である。ユーザエリア５０１に、電子ペン１で文字等を手書することで、コンピュータ装置２によって文字認識されたテキスト情報が、ディスプレイ３によって表示されている画面の入力領域に入力される。ユーザエリア５０１は、ユーザエリア（サイト指示エリア）５０２〜５０３が電子ペン１によってタップされて、ディスプレイ３に所望のサイトを表示させたうえで利用される。
【００２９】
ユーザエリア５０２には、「Search」と印刷されている。このユーザエリア５０２は、ウェブ・ブラウザのアプリケーションを起動して、ディスプレイ３に、インターネット上の検索サイトを表示させるための領域である。ユーザによりユーザエリア５０２に電子ペン１でタップされることで、コンピュータ装置２が、ネットワークＮを介して検索サイトを運用するサーバ７にアクセスし、検索サイトをディスプレイ３に表示させる。なお、ユーザエリア５０２に、検索サイト名を印刷しておいてもよい。
【００３０】
ユーザエリア５０３には、「Encyclopedia」と印刷されている。このユーザエリア５０３は、ウェブ・ブラウザのアプリケーションを起動して、ディスプレイ３に、インターネット上の百科事典サイトを表示させるための領域である。ユーザによりユーザエリア５０３に電子ペン１でタップされることで、コンピュータ装置２が、ネットワークＮを介して百科事典サイトを運用するサーバ７にアクセスし、百科事典サイトをディスプレイ３に表示させる。なお、ユーザエリア５０３に、百科事典サイト名を印刷しておいてもよい。
【００３１】
ユーザエリア５０４には、「Shop」と印刷されている。このユーザエリア５０４は、ウェブ・ブラウザのアプリケーションを起動して、ディスプレイ３に、インターネット上のネット通販サイトを表示させるための領域である。ユーザによりユーザエリア５０４に電子ペン１でタップされることで、コンピュータ装置２が、ネットワークＮを介してネット通販サイトを運用するサーバ７にアクセスし、ネット通販サイトをディスプレイ３に表示させる。なお、ユーザエリア５０４に、ネット通販サイト名を印刷しておいてもよい。
【００３２】
ユーザエリア５０５には、「Print」と印刷されている。このユーザエリア５０５は、ディスプレイ３に表示されている画面を印刷するための領域である。ユーザによりユーザエリア５０５に電子ペン１でタップされることで、コンピュータ装置２は、ディスプレイ３に表示されている画面をプリンター８に印刷させる。
【００３３】
ユーザエリア５０６は、「Mail」と印刷されている。このユーザエリア５０６は、ユーザエリア５０１に記入された文字等を有するメールを検索し、出力するための領域である。ユーザがユーザエリア５０１に文字等を電子ペン１で記入し、ユーザエリア５０６を電子ペン１でタップすることで、コンピュータ装置２は、ユーザエリア５０１に記入された文字等を文字認識によりテキスト情報に変換し、そのテキスト情報を含むメールを検索して、ディスプレイ３にリスト表示させる。
【００３４】
ユーザエリア５０８〜５１６には、それぞれ、「１」〜「９」と印刷されている。これらのユーザエリア５０８〜５１６には、ユーザの要望に合わせて機能をカスタマイズして、コンピュータ装置２に機能を関連付けさせることができる。たとえば、ユーザエリア５０８には特定のインターネット上のサイト（例えば、地図検索サイト、天気サイトなど）にアクセスして表示させる、ユーザエリア５０９には特定のテレビ局の放送を出力させる、などである。
【００３５】
ユーザエリア５１７には、マウス（ねずみ）の絵柄が印刷されている。このユーザエリア５１７は、ディスプレイ３に表示されているカーソルを移動させるための領域である。ユーザによりユーザエリア５１７内で電子ペン１によりストロークが描かれることで、コンピュータ装置２は、ディスプレイ３に表示されているカーソルを、そのストロークに合わせて移動させる。
【００３６】
ユーザエリア５１８には、「Tab」と印刷されている。このユーザエリア５１８は、コンピュータ用キーボードの「Ｔａｂ」と同じ機能を有する領域である。すなわち、ユーザによりユーザエリア５１８がタップされると、コンピュータ装置２は、ディスプレイ３の画面において、次のアイコンや入力領域をアクティブ状態にさせる。
【００３７】
ユーザエリア５１９には、「Click」と印刷されている。このユーザエリア５１９は、コンピュータ用マウスのクリックと同じ機能を有する領域である。すなわち、ユーザによりユーザエリア５１９がタップされると、コンピュータ装置２は、クリックされたものとして処理する。
【００３８】
ユーザエリア（上下方向スクロール・エリア）５２１は、ディスプレイ３の画面を上下にスクロールするための領域であり、「Scroll Up and Down」と印刷されており、上下方向にユーザエリア５２１Ａ〜５２１Ｄの４つに分割されている。ユーザエリア５２１Ａ〜５２１Ｄは、ユーザがその各領域を認識できるように、赤外線を吸収しないインクで異なる色が表現されるように印刷すると良い。ユーザが、ユーザエリア５２１Ａ〜５２１Ｄのうち、隣接する複数のエリアをまたがるようにストロークを描くと、コンピュータ装置２は、電子ペン１でペンダウンされた座標とペンアップされた座標に基づき、ストロークが描かれた方向を認識して、キーボードの「↓」または「↑」キーが押されたのと同様の上下方向のスクロール処理を行う。また、ユーザが、ユーザエリア５２１Ａと、これとは隣接しないユーザエリア５２１Ｄとをこの順番でタップすると、コンピュータ装置２は、キーボードの「Page Down」キーが押されたのと同様のスクロール処理を行う。また、ユーザが、ユーザエリア５２１Ｄとユーザエリア５２１Ａとをこの順番でタップすると、コンピュータ装置２は、キーボードの「Page Up」キーが押されたのと同様のスクロール処理を行う。
【００３９】
ユーザエリア（左右方向スクロール・エリア）５２２は、ディスプレイ３の画面を左右にスクロールするための領域であり、「Scroll Left and Right」と印刷されており、ユーザエリア５２２Ａ〜５２２Ｂの２つに分割されている。隣接するユーザエリア５２２Ａとユーザエリア５２２Ｂは、ユーザがその領域を認識できるように、赤外線を吸収しないインクで異なる色が表現されるように印刷すると良い。ユーザが、ユーザエリア５２２Ａ〜５２２Ｂをまたがるようにストロークを描くと、コンピュータ装置２は、ストロークが描かれた方向を認識して、キーボードの「→」または「←」キーが押されたのと同様の左右方向のスクロール処理を行う。
【００４０】
ユーザエリア（次ページ・アクセス・エリア）５２３は、検索サイトでの検索結果画面を次の頁に移行するための領域である。ユーザエリア（前ページ・アクセス・エリア）５２４は、検索サイトでの検索結果画面を前の頁に移行するための領域である。
【００４１】
［電子ペン］
次に、電子ペン１について説明する。図６は、電子ペン１の構造を示す概略図である。図６に示すように、電子ペン１は、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。ペン部１０４の先端は、ペン先部１０３となっており、ユーザは、電子ペン１のペン先部１０３を操作シート５に当接させて、文字等のストロークを記入したり、タップ（ペン先部１０３による操作シート５への軽叩）したりする。ここで、電子ペン１のペン先部１０３が操作シート５に最初に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。なお、電子ペン１は、操作シート５に、タップしたり文字を記入したりするのに用いるものであるので、ペン部１０４は、インクが充填されたものでなくともよい。
【００４２】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により操作シート５に文字やマークを書いたりタップしたりする際にペン先部１０３からペン部１０４を通じて与えられる圧力、即ち筆圧を検出し、その値をプロセッサ１０８へ伝送する。
【００４３】
プロセッサ１０８は、圧力センサ１０７から与えられる筆圧データに基づいて、ＬＥＤ１０５及びＣＭＯＳカメラ１０６のスイッチのオン／オフを切換える。即ち、ユーザが電子ペン１で操作シート５に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。また、ユーザが１つのストロークを記入し終えて電子ペン１を操作シート５から離すと、圧力センサ１０７は、所定値以上の筆圧が検出されなくなることでペンアップを検出する。
【００４４】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、操作シート５上のペン先部１０３近傍に向けて赤外線を照明する。その領域は、ペン先部１０３が操作シート５に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。したがって、ＣＭＯＳカメラ１０６の撮影により、赤外線の反射量の違いから閾値を設けることによって、カーボンを含むドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。
【００４５】
プロセッサ１０８は、ユーザの記入が行われる間、ＣＭＯＳカメラ１０６によって供給される画像データのドットパターンから、ユーザが記入するストローク（筆跡）の操作シート５上におけるＸ，Ｙ座標（単に「位置座標」、「座標データ」とも呼ぶ）と操作シート５に固有のドットパターンアドレス（コード化パターンアドレス）とを連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値及びＹ座標ビット値に変換して、そのデータ配列から所定の演算方法によりＸ，Ｙ座標データ及びドットパターンアドレスを演算する。そしてプロセッサ１０８は、リアルタイムクロック１１０から発信される現在時刻（タイムスタンプ：記入された時刻情報）、筆圧データ、ドットパターンアドレス及びＸ，Ｙ座標データとを関連付ける。なお、操作シート５における６×６のドットパターンは、操作シート５内で重複することはないため、ユーザが電子ペン１で文字等を記入すると、記入された位置が操作シート５のどの位置に当たるかを、プロセッサ１０８による座標演算により特定することができる。
【００４６】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤ（電子ペン識別情報）と、時刻情報（タイムスタンプ）と、筆圧データと、ドットパターンアドレスと、Ｘ，Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。
【００４７】
［コンピュータ装置］
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ等で構成される。図７は、コンピュータ装置２の機能ブロック図である。コンピュータ装置２は、機能的には、受信手段２１、記憶手段２２、処理手段２３、接続手段２４、及び送信手段２５を備える。受信手段２１は、アンテナや受信回路等により構成され、電子ペン１から記入情報を受信し、処理手段２３に伝送する。処理手段２３は、ディスプレイ３に接続されており、電子ペン１から受信した記入情報に基づいて所定の処理を行い、ディスプレイ３に画像を表示させる。また、接続手段２４は、インターネットなどのネットワークＮに接続されている。送信手段２４は、プリンター８に接続されている。また、図示しないが、地上デジタル放送の放送信号を受信するチューナーも搭載している。以下、本実施形態に特徴的な構成について詳細に説明する。
【００４８】
記憶手段２２は、ハードディスクやＲＯＭ、ＲＡＭといったメモリによって構成される。記憶手段２２には、図５で示す各ユーザエリア５０１〜５１９、５２１Ａ〜５２１Ｄ、５２２Ａ〜５２２Ｂ、５２３、５２４の操作シート５における位置座標の座標範囲が、各ユーザエリアに関連付けられて、記憶されている。また、ユーザエリア５０２、５０３、５０４には、それぞれ特定の検索サイト、百科事典サイト、ネット通販サイトのＵＲＬが関連付けられて記憶手段２２に記憶されている。さらに、カスタマイズされた機能をユーザエリア５０８〜５１６に関連付けて記憶手段２２に記憶する。
【００４９】
処理手段２３は、ユーザエリア５０１内の位置座標を有する記入情報を認識すると、その記入情報に基づいて、ストロークを認識し、複数のストロークから文字認識によりテキスト情報に変換して、ディスプレイ３によって表示されている画面の入力領域にテキスト情報を入力する。
【００５０】
処理手段２３は、「Search」と印刷されたユーザエリア５０２内の位置座標を有する記入情報を認識すると、ウェブ・ブラウザのアプリケーションを起動し、記憶手段２２を参照して、ユーザエリア５０２に関連付けられた検索サイトのＵＲＬを読み出し、インターネット上のそのＵＲＬのサーバにアクセスし、検索サイトの画面をディスプレイ３に表示させる。また、処理手段２３は、「Encyclopedia」と印刷されたユーザエリア５０３内の位置座標を有する記入情報を認識すると、ウェブ・ブラウザのアプリケーションを起動し、記憶手段２２を参照してユーザエリア５０３に関連付けられた百科事典サイトのＵＲＬを読み出し、インターネット上のそのＵＲＬのサーバにアクセスし、百科事典サイトの画面をディスプレイ３に表示させる。また、処理手段２３は、「Shop」と印刷されたユーザエリア５０４内の位置座標を有する記入情報を認識すると、ウェブ・ブラウザのアプリケーションを起動し、記憶手段２２を参照してユーザエリア５０４に関連付けられたネット通販サイトのＵＲＬを読み出して、インターネット上のそのＵＲＬのサーバにアクセスし、ネット通販サイトの画面をディスプレイ３に表示させる。
【００５１】
処理手段２３は、「Print」と印刷されたユーザエリア５０５内の位置座標を有する記入情報を認識すると、ディスプレイ３に表示されている画面を、送信手段２５を介してプリンター８に印刷させる。
【００５２】
処理手段２３は、「Mail」と印刷されたユーザエリア５０６内の位置座標を有する記入情報を認識すると、ユーザエリア５０１に記入され、文字認識により変換されたテキスト情報を含むメールを、記憶手段２２のメール・フォルダ（記憶領域）から検索して、ディスプレイ３にリスト表示させる。
【００５３】
処理手段２３は、ユーザエリア５０８〜５１６内の位置座標を有する記入情報を認識すると、カスタマイズにより各ユーザエリアに関連付けられた機能を実行する。
【００５４】
処理手段２３は、マウス（ねずみ）の絵柄が印刷されたユーザエリア５１７内の位置座標を有する記入情報を認識すると、記入情報により認識されるストロークに合わせて、ディスプレイ３に表示されているカーソルを移動させる。
【００５５】
処理手段２３は、「Tab」と印刷されたユーザエリア５１８内の位置座標を有する記入情報を認識すると、コンピュータ用キーボードの「Ｔａｂ」機能と同様に、ディスプレイ３の画面において、次のアイコンや入力領域をアクティブ状態にさせる。
【００５６】
処理手段２３は、「Click」と印刷されたユーザエリア５１９内の位置座標を有する記入情報を認識すると、コンピュータ用マウスのクリックと同様に、クリックされたものとして処理する。
【００５７】
処理手段２３は、「Scroll Up and Down」と印刷されたユーザエリア５２１Ａ〜５２１Ｄのうち、隣接する複数のエリアをまたがるようなストロークを記入情報により認識すると、電子ペン１でペンダウンされた座標とペンアップされた座標に基づき、ストロークが描かれた方向を認識して、キーボードの「↓」または「↑」キーが押されたのと同様の上下方向のスクロール処理を行う。また、処理手段２３は、ユーザエリア５２１Ａ内の位置座標を有する記入情報と、ユーザエリア５２１Ａとは隣接しないユーザエリア５２１Ｄ内の位置座標を有する記入情報とをこの順番で連続的に認識すると、キーボードの「Page Down」（ページダウン）キーが押されたのと同様のスクロール処理を行う。また、処理手段２３は、ユーザエリア５２１Ｄ内の位置座標を有する記入情報とユーザエリア５２１Ａ内の位置座標を有する記入情報とをこの順番で連続的に認識すると、キーボードの「Page Up」（ページアップ）キーが押されたのと同様のスクロール処理を行う。
【００５８】
処理手段２３は、「Scroll Left and Right」と印刷されたユーザエリア５２２Ａ〜５２２Ｂをまたがるようなストロークを記入情報により認識すると、ストロークが描かれた方向を認識して、キーボードの「→」または「←」キーが押されたのと同様の左右方向のスクロール処理を行う。
【００５９】
検索結果が複数ページにわたる場合に、処理手段２３は、ユーザエリア５２３内の位置座標を有する記入情報を認識すると、検索サイトを運用するサーバ７にアクセスして、検索サイトにおける検索結果画面の次の頁を読み出してディスプレイ３に表示させる。
また、処理手段２３は、ユーザエリア５２４内の位置座標を有する記入情報を認識すると、検索サイトを運用するサーバ７にアクセスして、検索サイトにおける検索結果画面の前の頁を読み出してディスプレイ３に表示させる。
【００６０】
＜本第１実施形態の作用効果＞
本第１実施形態における情報処理システム１０においては、ユーザが電子ペン１でユーザエリア５０２〜５０４のいずれかをタップすることで、コンピュータ装置２がインターネット上の検索サイト、百科事典サイト、ないしネット通販サイトにアクセスして、ディスプレイ３に表示させることができる。また、ディスプレイ３に検索サイトや百科事典サイトを表示させた状態で、ユーザが電子ペン１でユーザエリア５０１にキーワードの文字などを記入することで、入力領域に変換されたテキスト情報が入力される。
【００６１】
さらに、ユーザが「Ｔａｂ」と印刷されたユーザエリア５１８を電子ペン１でタップするなどして、画面上の「検索実行」ボタンを選択することができる。なお、ユーザエリア５１７に電子ペン１でストロークを描くことで、ディスプレイ３の画面におけるカーソルを移動操作することもできる。そして、ユーザが「Click」と印刷されたユーザエリア５１８を電子ペン１でタップすることで、入力したテキスト情報をキーワードとしてネットワーク上で検索をさせることができる。
【００６２】
検索結果がディスプレイ３に表示された後、ユーザが電子ペン１でユーザエリア５２１Ａ〜５２１Ｄ、ユーザエリア５２２Ａ，５２２Ｂをタップないしストロークを描くことで、適宜、画面を上下左右にスクロールすることができる。また、同じユーザエリア５２１を用いて、「Page Down」や「Page Up」のスクロールも行うことができる。さらに、ユーザが電子ペン１でユーザエリア５２３や５２４をタップすることで、コンピュータ装置２が検索サイトのサーバ７にアクセスして、検索サイトにおける検索結果画面の次の頁や前の頁を読み出してディスプレイ３に表示させることができる。
【００６３】
＜第２実施形態＞
次に、第２実施形態における情報処理システム１０について説明する。第２実施形態の説明では、第１実施形態と異なる点を中心に説明し、第１実施形態と共通する構成・機能等の説明は省略する。
【００６４】
〔操作シート〕
本第２実施形態においては、操作シート５の各ユーザエリア５０１〜５２４以外の範囲におけるドットパターンを電子ペン１で読み取ると、コンピュータ装置２がウェブ・ブラウザのアプリケーションを起動するよう構成されている。なお、コンピュータ装置２によってウェブ・ブラウザのアプリケーションが起動されていない状態であれば、操作シート５のどの位置のドットパターンを電子ペン１で読み取らせても、コンピュータ装置２がウェブ・ブラウザのアプリケーションを起動するよう構成してもよい。
【００６５】
「Search」と印刷されたユーザエリア５０２は、ユーザエリア５０１への電子ペン１による記入によって生成された記入情報をコンピュータ装置２に文字認識させてテキスト情報化させたうえで、そのテキスト情報を検索するためのコード情報に変換させ、ディスプレイ３に表示されたウェブブラウザのＵＲＬ入力欄に、検索サイトのＵＲＬと当該コード情報と埋め込んで検索させるための領域である。ユーザによりユーザエリア５０２に電子ペン１でタップされることで、コンピュータ装置２が、ネットワークＮを介して検索サイトを運用するサーバ７にアクセスし、検索サイトをディスプレイ３に表示させ、ユーザエリア５０１に記入された文字をキーワードとした検索結果をディスプレイ３に表示させる。
【００６６】
「Encyclopedia」と印刷されたユーザエリア５０３は、ユーザエリア５０１への電子ペン１による記入によって生成されたストローク情報をコンピュータ装置２に文字認識させてテキスト情報化させたうえで、そのテキスト情報を検索するためのコード情報に変換させ、ディスプレイ３に表示されたウェブブラウザのＵＲＬ入力欄に、百科事典サイトのＵＲＬと当該コード情報と埋め込んで検索させるための領域である。ユーザによりユーザエリア５０３に電子ペン１でタップされることで、コンピュータ装置２が、ネットワークＮを介して百科事典サイトを運用するサーバ７にアクセスし、百科事典サイトをディスプレイ３に表示させ、ユーザエリア５０１に記入された文字をキーワードとした検索結果をディスプレイ３に表示させる。
【００６７】
「Shop」と印刷されたユーザエリア５０４は、ユーザエリア５０１への電子ペン１による記入によって生成されたストローク情報をコンピュータ装置２に文字認識させてテキスト情報化させたうえで、そのテキスト情報を検索するためのコード情報に変換させ、ディスプレイ３に表示されたウェブブラウザのＵＲＬ入力欄に、ネット通販サイトのＵＲＬと当該コード情報と埋め込んで検索させるための領域である。ユーザによりユーザエリア５０４に電子ペン１でタップされることで、コンピュータ装置２が、ネットワークＮを介してネット通販サイトを運用するサーバ７にアクセスし、ネット通販サイトをディスプレイ３に表示させ、ユーザエリア５０１に記入された文字をキーワードとした検索結果をディスプレイ３に表示させる。
【００６８】
「Mail」と印刷されたユーザエリア５０６は、ディスプレイ３のウェブ・ブラウザに表示されているサイトのＵＲＬをあらかじめ指定したメールアドレスを送信先としてメール送信するための領域である。ユーザエリア５０６を電子ペン１でタップすることで、コンピュータ装置２は、ディスプレイ３のウェブ・ブラウザにに表示されているサイトのＵＲＬをあらかじめ指定したメールアドレスを送信先としてメール送信する。
【００６９】
［コンピュータ装置］
次に、本第２実施形態におけるコンピュータ装置２について説明する。
【００７０】
処理手段２３は、操作シート５の各ユーザエリア５０１〜５２４以外の範囲における位置座標を有する記入情報を認識すると、記憶手段２２に記憶されているウェブ・ブラウザのアプリケーションを読み出して起動する。なお、処理手段２３は、まだウェブ・ブラウザのアプリケーションが起動されていない状態であれば、操作シート５のどの位置における位置座標を有する記入情報を認識しても、ウェブ・ブラウザのアプリケーションを起動するよう構成してもよい。
【００７１】
処理手段２３は、ユーザエリア５０１内の位置座標を有する記入情報を認識すると、その記入情報を記憶手段２２に記憶させる。
【００７２】
処理手段２３は、「Search」と印刷されたユーザエリア５０２内の位置座標を有する記入情報を認識すると、ユーザエリア５０１への電子ペン１による記入によって生成された記入情報を記憶手段２２から読み出してストロークを認識し、そのストロークを文字認識によりテキスト情報化したうえで、そのテキスト情報を検索するためのコード情報に変換する。さらに、処理手段２３は、ディスプレイ３に表示されたウェブブラウザのＵＲＬ入力欄に、記憶手段２２から読み出した検索サイトのＵＲＬと当該コード情報と埋め込み、ネットワーク７を介してサーバ７にアクセスし、検索結果をディスプレイ３に表示させる。これにより、ユーザエリア５０１に記入された文字をキーワードとした検索結果をディスプレイ３に表示させることができる。なお、コード情報への変換は、検索サイトごとに特有である。
【００７３】
また、処理手段２３は、「Encyclopedia」と印刷されたユーザエリア５０３内の位置座標を有する記入情報を認識すると、ユーザエリア５０１への電子ペン１による記入によって生成された記入情報を記憶手段２２から読み出してストロークを認識し、そのストロークを文字認識によりテキスト情報化したうえで、そのテキスト情報を検索するためのコード情報に変換する。さらに、処理手段２３は、ディスプレイ３に表示されたウェブブラウザのＵＲＬ入力欄に、記憶手段２２から読み出した百科事典サイトのＵＲＬと当該コード情報と埋め込み、ネットワーク７を介してサーバ７にアクセスし、検索結果をディスプレイ３に表示させる。これにより、ユーザエリア５０１に記入された文字をキーワードとした検索結果をディスプレイ３に表示させることができる。なお、コード情報への変換も、百科事典サイトごとに特有である。
【００７４】
また、処理手段２３は、「Shop」と印刷されたユーザエリア５０４内の位置座標を有する記入情報を認識すると、ユーザエリア５０１への電子ペン１による記入によって生成された記入情報を記憶手段２２から読み出してストロークを認識し、そのストロークを文字認識によりテキスト情報化したうえで、そのテキスト情報を検索するためのコード情報に変換する。さらに、処理手段２３は、ディスプレイ３に表示されたウェブブラウザのＵＲＬ入力欄に、記憶手段２２から読み出したネット通販サイトのＵＲＬと当該コード情報と埋め込み、ネットワーク７を介してサーバ７にアクセスし、検索結果をディスプレイ３に表示させる。これにより、ユーザエリア５０１に記入された文字をキーワードとした検索結果をディスプレイ３に表示させることができる。なお、コード情報への変換も、ネット通販サイトごとに特有である。
【００７５】
また、処理手段２３は、「Mail」と印刷されたユーザエリア５０６内の位置座標を有する記入情報を認識すると、ディスプレイ３のウェブ・ブラウザに表示されているサイトのＵＲＬをあらかじめ指定したメールアドレスを送信先としてメール送信する。
【００７６】
＜本第２実施形態の作用効果＞
本第２実施形態に特徴的な作用効果としては、ユーザが電子ペン１でユーザエリア５０１〜５２４以外の範囲をタップすることで、コンピュータ装置２はウェブ・ブラウザのアプリケーションを起動する。そして、ユーザが電子ペン１で検索したい文字をユーザエリア５０１に記入し、ユーザエリア５０２〜５０４のいずれかを電子ペン１でタップすると、コンピュータ装置２はインターネット上の検索サイト、百科事典サイト、ないしネット通販サイトにアクセスして、それぞれのサイトにおける検索結果をディスプレイ３に表示させることができる。また、ユーザが電子ペン１でユーザエリア５０６をタップすると、コンピュータ装置２は、ディスプレイ３のウェブ・ブラウザに表示されているサイトのＵＲＬをあらかじめ指定したメールアドレスを送信先としてメール送信する。
【００７７】
〔変形例〕
図８は、上記第１，第２実施形態における操作シート５の変形例を示すものである。図８における操作シート５でも、ユーザエリア５２１の各エリア５２１Ａ〜５２１Ｄは、それぞれ、電子ペン１で読み取れないように赤外線を吸収しないインクで、桃色、青色、緑色、黄色と異なる色で印刷されている。また、ユーザエリア５２２の各エリア５２２Ａ，５２２Ｂは、それぞれ、電子ペン１で読み取れないように赤外線を吸収しないインクで、緑色、青色と異なる色で印刷されている。また、図８に示すように、ユーザエリア５２３は、操作シート５の右下縁部に「Next」と印刷したものとしてもよい。また、ユーザエリア５２４は、操作シート５の中央下右寄りに「Prev」と印刷したものとしてもよい。
【００７８】
また、上記実施形態では、ドットパターン（コード化パターン）は、アノト社の方式を採用したが、その方式に限らなくともよい。また、電子ペン１のＣＭＯＳカメラ１０６によって撮像された画像データからドットを認識しやすくするため、ＣＭＯＳカメラ１０６に照射される光が赤外線だけとなるように、赤外線透過フィルターを電子ペン1の開口部１０２付近か、ＣＭＯＳカメラ１０６の受光面側に設けてもよい。
【符号の説明】
【００７９】
１…電子ペン
２…コンピュータ装置
２１…受信手段
２２…記憶手段
２３…処理手段
２４…接続手段
２５…送信手段
３…ディスプレイ
５…操作シート
５０１〜５２４…ユーザエリア
７…サーバ
８…プリンター
１０…情報処理システム
【図２】
0003160431.tif 000003
【図３】
0003160431.tif 000004
【図５】
0003160431.tif 000005
【図６】
0003160431.tif 000006
【図７】
0003160431.tif 000007
【図１】
0003160431.tif 000008
【図４】
0003160431.tif 000009
【図８】
0003160431.tif 000010